(57)【特許請求の範囲】
【請求項１】
座の側方に設けた肘掛け本体に、上端が開口する物品収容空間を形成し、この物品収容空間の上端開口部を、前記肘掛け本体の上端に枢着した蓋体により開閉しうるようにした椅子の肘掛け装置において、
前記蓋体を枢支する軸の一部を、前記肘掛け本体の上面に設けた溝に嵌合し、かつその上方から、押え金具を押し付けて、この押え金具を、肘掛け本体の開口の内面にねじ止めしたことを特徴とする椅子の肘掛け装置。
【請求項２】
押え金具を、倒立Ｌ字状または倒立Ｊ字状とし、折曲した先端部を、溝に嵌合した軸の一部に当接し、かつ垂直片を、肘掛け本体の開口の内面にねじ止めした請求項１記載の椅子の肘掛け装置。
【請求項３】
肘掛け本体の内側壁に、物品収容空間に至るとともに、外側壁側に設けた押え金具のねじ止め作業を行うための開口を設け、この開口を、肘掛け本体の内側面に取り付けた化粧板により閉塞した請求項１または２記載の椅子の肘掛け装置。
【請求項４】
蓋体の下面に、１対の足片を互いに離間させて設け、両足片の下端部を貫通する軸の中間部を、肘掛け本体に設けた溝に嵌合して、その上方より押え金具を当接させた請求項１〜３のいずれかに記載の椅子の肘掛け装置。
【請求項５】
物品収容空間に、座の前部上方においてほぼ水平に展開できるようにしたテーブルを収容しうるようにした請求項１〜４のいずれかに記載の椅子の肘掛け装置。
【発明の詳細な説明】
【技術分野】
【０００１】
本発明は、座の側方に設けた肘掛け本体に、上端が開口する物品収容空間を形成し、この物品収容空間の上端開口部を、肘掛け本体の上端に枢着した蓋体により開閉しうるようにした椅子の肘掛け装置に関する。
【背景技術】
【０００２】
肘掛け本体に物品収容空間を形成したこの種の椅子の肘掛け装置としては、車両や航空機等の乗物に設けられている椅子において、肘掛け本体に形成した物品収容空間に、座の前部上方においてほぼ水平に展開できるようにしたテーブルを収容しうるようにしたものがある(例えば特許文献１および２参照)。
【０００３】
このような従来の椅子の肘掛け装置においては、蓋体は、一般的に、固定片を肘掛け本体の上面にねじ止めし、かつ可動片を蓋体の下面にねじ止めした蝶番をもって、肘掛け本体に枢着されている。
【特許文献１】特開２００２−１０８７４号公報
【特許文献２】実公平６−２０４５７号公報
【発明の開示】
【発明が解決しようとする課題】
【０００４】
しかし、上述の従来の椅子の肘掛け装置におけるように、蓋体を、公知の蝶番をもって、肘掛け本体の上面に取付けるには、肘掛け本体の上面に蝶番取付用のスペースを確保するため、肘掛け本体の横幅を大としなければならず、椅子全体が大型化してしまう。
このように、椅子全体が大型化することは、限られた空間内に多数の椅子を配設することが求められる車両等の乗物においては望ましくない。
【０００５】
また蓋体を、公知の蝶番をもって、肘掛け本体の上面に取付けるようにすると、取付作業が煩雑になるだけでなく、蓋体を開いたとき、蝶番やその止めねじが露呈して見苦しく、しかも、いたずらにより、止めねじが緩められて、蓋体が肘掛け本体から外されるおそれがある。
【０００６】
本発明は、従来の技術が有する上記のような問題点に鑑み、肘掛け本体の横幅を大とすることなく、蓋体の取付構造および取付作業を簡素化することができるとともに、蓋体を開いた際の体裁がよく、しかも、いたずら等により、蓋体が外されることがないようにした椅子の肘掛け装置を提供することを目的としている。
【課題を解決するための手段】
【０００７】
本発明によると、上記課題は次のようにして解決される。
(１)  座の側方に設けた肘掛け本体に、上端が開口する物品収容空間を形成し、この物品収容空間の上端開口部を、前記肘掛け本体の上端に枢着した蓋体により開閉しうるようにした椅子の肘掛け装置において、前記蓋体を枢支する軸の一部を、前記肘掛け本体の上面に設けた溝に嵌合し、かつその上方から、押え金具を押し付けて、この押え金具を、肘掛け本体の開口の内面にねじ止めする。
【０００８】
(２)  上記(１)項において、押え金具を、倒立Ｌ字状または倒立Ｊ字状とし、折曲した先端部を、溝に嵌合した軸の一部に当接し、かつ垂直片を、肘掛け本体の開口の内面にねじ止めする。
【０００９】
(３)  上記(１)または(２)項において、肘掛け本体の内側壁に、物品収容空間に至るとともに、外側壁側に設けた押え金具のねじ止め作業を行うための開口を設け、この開口を、肘掛け本体の内側面に取り付けた化粧板により閉塞する。
【００１０】
(４)  上記(１)〜(３)項のいずれかにおいて、蓋体の下面に、１対の足片を互いに離間させて設け、両足片の下端部を貫通する軸の中間部を、肘掛け本体に設けた溝に嵌合して、その上方より押え金具を当接させる。
【００１１】
(５)  上記(１)〜(４)項のいずれかにおいて、物品収容空間に、座の前部上方においてほぼ水平に展開できるようにしたテーブルを収容しうるようにする。
【発明の効果】
【００１２】
本発明によると、次のような効果を奏することができる。
請求項１記載の発明によると、蓋体を枢支する軸の一部を、肘掛け本体の上面に設けた溝に嵌合し、かつその上方から、押え金具を押し付けて、この押え金具を、肘掛け本体の開口の内面にねじ止めしてあるので、従来の公知の蝶番を肘掛け本体の上面に取付けるものに比して、肘掛け本体の横幅を小とすることができ、限られた空間内に多数の椅子を配設することが求められる車両等の乗物において、好適に用いることができる。
また、押え金具を肘掛け本体の開口の内面にねじ止めしてあるので、蓋体を開いた際に、この押え金具のねじ止め部分が見えにくく、体裁がよいだけでなく、いたずら等により、蓋体が外されるおそれが少ない。
さらに、蓋体の取付構造および取付作業を簡素化することができる。
【００１３】
請求項２記載の発明によると、肘掛け本体の上面には、押え金具の上部の折曲げ部分が露呈するだけで、押え金具のねじ止め部分が露呈することはないので、体裁がよく、しかも、押え金具が軸から離れる方向と、止めねじが外れる方向とが異なっているので、たとえ止めねじが弛んでも、軸が肘掛け本体から外れるおそれはなく、安全である。
【００１４】
請求項３記載の発明によると、肘掛け本体の内側壁に設けた開口を利用して、押え金具のねじ止め作業を容易に行うことができるとともに、上記開口を、化粧板により覆うことによって、体裁を保つことができる。
【００１５】
請求項４記載の発明によると、構造を簡素化することができるとともに、組み付け作業を簡略化することができる。
【００１６】
請求項５記載の発明によると、肘掛け本体の横幅を小としたテーブル収納式肘掛け装置を提供することができる。
【発明を実施するための最良の形態】
【００１７】
以下、本発明の一実施形態を、添付図面を参照して説明する。  
図１に示すように、この実施形態は、鉄道車両用の二人掛けの椅子に適用したものであり、この椅子は、車両の床面に装着した水平回転式の基台(図示略)上に、左右１対の座１、１と、その後部より起立する背もたれ２、２と、各座１の外側の側部より起立する、本発明のテーブル収納式肘掛け装置(以下単に肘掛けという)３とを設けたものよりなっている。
【００１８】
左右の肘掛け３、３は、互いに左右対称をなし、それぞれが、上端が開口する物品収容空間を形成する垂直扁平箱状の肘掛け本体４と、その物品収容空間の上端開口部を開閉する蓋体５とを備えている。
肘掛け本体４の前上部には、ヒンジ機構６が取付けられ、このヒンジ機構６により、テーブル７は、図１、図５、図７、および図８(実線部分)に示すように、肘掛け本体４の物品収容空間内に収容された収容位置と、図８に想像線で示すように、収容位置から肘掛け本体４の前上部を中心として上方に回動したはね上げ位置と、図２に実線で、また図８に想像線で示すように、はね上げ位置から前後方向を向く軸線回りに椅子の内方に下向き回動して、座１の前部上方においてほぼ水平となる使用位置とに移動可能として、肘掛け本体４に装着されている。
テーブル７を収容位置としているとき、テーブル７の上端は、肘掛け本体４の上端より上方に突出しないようにしてある。
【００１９】
このテーブル７、ヒンジ機構６、肘掛け本体４、蓋体５等により、本発明のテーブル収納式肘掛け装置、すなわち肘掛け３が形成されている。
次に、この肘掛け３の詳細について説明する。
【００２０】
図３〜図８に示すように、肘掛け本体４は、内外両側面と上面とに、寸法の大きい開口８、９、１０が形成された側面視倒立台形状のフレーム１１と、このフレーム１１の内側面に、止めねじ１２をもって固着された内側化粧板１３と、フレーム１１の外側面に、植え込みボルト１４とナット１５とをもって固着された外側化粧板１６とを備えている。
【００２１】
内側化粧板１３には、フレーム１１の内側の開口８を通って、フレーム１１内に凹入する凹部１３ａが設けられている。この凹部１３ａは、座１の上面から上方、かつ背もたれ２の前面から前方に設けられており、後部は浅く、前方に行くほど深くなるようにしてある。
【００２２】
図５に示すように、内側化粧板１３の凹部１３ａの外側面には、板ばね状の弾性部材１７の上下の端部が、溶接により固着されている。
また、弾性部材１７に対向して、外側化粧板１６の内側面には、板ばね状の弾性部材１８の上下の端部が、上記と同様の植え込みボルト１４とナット１５とをもって固着されている。
【００２３】
弾性部材１７、１８により、テーブル７を内外から挾圧把持することにより、テーブル７を、収容位置において、安定して弾圧保持することができるとともに、テーブル７の移動に適度の抵抗力を付与することができるようにしてある。
なお、弾性部材１７、１８におけるテーブル７と接する面には、フェルト状の植毛(図示略)を植設し、テーブル７の表面を傷つけることなく、テーブル７を弾圧保持したり、適度の抵抗力を伴って、テーブル７の移動を許容したりしうるようにしてある。
【００２４】
図７および図８に示すように、フレーム１１内の下部には、前上方を向くストッパ支持板１９が、１対のブラケット２０、２１をもって固着されており、その後部上面には、テーブル７が収容位置に達したとき、その下端部が当接するようにしたゴム等の弾性体からなるストッパ２２が設けられている。
【００２５】
図３〜図５に示すように、肘掛け本体４における座１に近い内側壁をなすフレーム１１の開口１０より内方の部分の上端には、側面視倒立台形状の下向きの切欠き２３が設けられており、この切欠き２３に対向する、収容位置のテーブル７の上端縁部には、切欠き２３側に向かって突出する凸部をなす指掛け部２４が設けられている。
【００２６】
したがって、蓋体５を開いた状態で、肘掛け本体４に設けた切欠き２３を通して、テーブル７の指掛け部２４に指を掛け、テーブル７を肘掛け本体４から容易に引き上げることができるので、肘掛け本体４および蓋体５の横幅を大とすることなく、テーブル７を肘掛け本体７から容易に出し入れすることができる。
また、切欠き２３を内側壁の上端に設けてあるので、外側からは切欠き２３が見えず、体裁がよく、しかも、着座者からは、切欠き２３を通して、テーブル７の存在を確認することができる。
【００２７】
肘掛け本体４における座１から遠い外側壁をなすフレーム１１の開口１０より外方の部分の上端には、上方と内側方とに開口し、かつ上記切欠き２３の側面形状に似た倒立台形状をなす凹入部２５が設けられている。
この凹入部２５を設けたことにより、この凹入部２５と上記切欠き２３とを利用して、テーブル７の指掛け部２４を、左右からつまみ上げることができ、操作性がさらに向上する。
【００２８】
図３〜図６に示すように、蓋体５の前部下面には、前後１対の足片２６、２６が設けられ、この両足片２６、２６の下端部を貫通する前後方向を向く軸２７の中間部を、フレーム１１の上端に設けた前後方向を向く溝２８に嵌合し、かつその上方より、垂直片２９ａの上端に外側方を向く水平片２９ｂを連設し、かつ水平片２９ｂの先端に下向片２９ｃを連設した、ほぼ倒立Ｊ字状の押え金具２９における下向片２９ｃの下端を軸２７に押し付けて、押え金具２９の垂直片２９ａを、フレーム１１の上部における開口１０の内面、すなわちフレーム１１の外側壁の内面に、止めねじ３０をもって固着することにより、軸２７をフレーム１１に固定し、蓋体５を、図１、図２、および図４〜図８に実線で示すように、フレーム１１の上端の開口１０を閉塞するとともに、遊端部が、切欠き２３の上方を覆う閉止位置と、図３に実線で、かつ図５および図６に想像線で示すように、肘掛け３の外側方において上方を向く全開位置とに、軸２９を中心としてほぼ９０°回動しうるようにしてある。
前後の足片２６、２６は、フレーム１１における外側壁の上端に設けられた前後１対の下向きの切欠き４ａ、４ａに嵌合されている。
【００２９】
なお、溝２８の深さを、軸２７の直径とほぼ同一とすることにより、押え金具２９の下向片２９ｃを省略し、押え金具２９を倒立Ｌ字状として、水平片２９ｂの先端部下面を軸２７に押し付けるようにしてもよい。
【００３０】
図９〜図１１に示すように、ヒンジ機構６は、フレーム１１の前上部に左右方向を向く軸(第１軸)３１をもって枢着された支持腕３２を備えている。
この支持腕３２は、軸３１に外嵌する円筒形の基部３２ａと、基部３２ａから接線方向に延出する腕部３２ｂと、腕部３２ｂの先端部と中間部とから直角方向に延出し、テーブル７の基部を枢支する軸(第２軸)３３を支持する１対の二股状の突片３２ｃ、３２ｃとからなっている。
【００３１】
軸３３は、軸３１とわずかの間隔を隔てて、直角方向を向くようにして、支持腕３２に支持され、テーブル７をはね上げ位置および使用位置としたとき、ほぼ前後方向を向くようにしてある。
【００３２】
支持腕３２の腕部３２ｂの先端部には、テーブル７をはね上げ位置としたとき、フレーム１１の前端部上面に当接して、テーブル７の使用位置としたときの前方を向く仰角を調節する調節ボルト３４が、またテーブル７の基部の一側面には、テーブル７を使用位置としたとき、支持腕３２の腕部３２ｂに当接して、テーブル７の使用位置としたときの内側方を向く仰角を調節する調節ボルト３５が、それぞれ設けられている。
【００３３】
テーブル７は、二股とした基部から先端にかけて、扇形または蝶の羽根状に拡開する形状とし、その厚さは、基部が厚く、先端に向かって漸次薄くなるようにしてある。
また、図２に示すように、平面視において、基台の回転中心Ｏから、最遠部である肘掛け３の前端までを半径Ｒとする円Ｃ内に、使用位置としたときのテーブル７が収まるようにしてある。
さらに、使用位置としたときのテーブル７の上面前隅部には、カップ受けとなる円形の凹部３６が設けられている。
【００３４】
図１、図２、および図７に示すように、肘掛け本体４および蓋体５の横幅は、後方に向かって漸次小とし、かつ肘掛け本体４および蓋体４の外側面を、平面視において、後方に向かって漸次内方寄りに反らせることにより、肘掛け３が外側方に突出する印象を和らげることができるようにしてある。
【００３５】
肘掛け本体４におけるフレーム１１の前端上部内面には、背もたれ２のリクライニング操作用の押しボタン３７が設けられ、それと背もたれ２のリクライニング機構(図示略)とは、ボーデンケーブル３８をもって連係されているが、それらの詳細については、本発明には直接関係しないため、説明を省略する。
【００３６】
収容位置に位置しているテーブル７を、使用位置とするには、まず、指を切欠き２３に挿入して、蓋体５を、閉止位置から全開位置まで開いた後、上記切欠き２３を通して、テーブル７の指掛け部２４に指を掛けるとともに、この指と、凹入部２５に挿入した別の指とにより、テーブル７の指掛け部２４を左右から挟んで、テーブル７および支持腕３２を、軸３１を中心として上向に回動し、はね上げ位置とした後、テーブル７のみを、軸３３を中心として、内方へ下向きに回動させればよい。
【００３７】
テーブル７を使用位置とした後、蓋体５を閉じて、これを肘当てとして使用することができる。
また、使用位置のテーブル７を、収容位置に戻すには、上記と逆の操作を行えばよい。
【００３８】
以上から明らかなように、この実施形態においては、蓋体５を枢支する軸２７の一部を、肘掛け本体４の上面に設けた溝２８に嵌合し、かつその上方から、押え金具２９を押し付けて、この押え金具２９を、肘掛け本体４の開口１０の内面にねじ止めしてあるので、従来の公知の蝶番を肘掛け本体の上面に取付けるものに比して、肘掛け本体４の横幅を小とすることができ、限られた空間内に多数の椅子を配設することが求められる車両等の乗物において、好適に用いることができる。
また、押え金具２９を肘掛け本体４の開口１０の内面にねじ止めしてあるので、蓋体５を開いた際に、この押え金具２９のねじ止め部分が見えにくく、体裁がよいだけでなく、いたずら等により、蓋体５が外されるおそれが少ない。
さらに、蓋体５の取付構造および取付作業を簡素化することができる。
【００３９】
本発明は、上記実施形態のみに限定されるものではなく、幾多の変形した態様での実施が可能である。
例えば、肘掛け本体４の物品収容空間内には、テーブル７に代えて、着座者の身回品(乗用車のシートに適用したとき)、イヤホーンや説明書(航空機のシートに適用したとき)等を収容することもできる。
【図面の簡単な説明】
【００４０】
【図１】本発明の一実施形態を備える二人掛けの椅子の斜視図である。
【図２】同じく、一方のテーブルを使用位置としたときの平面図である。
【図３】肘掛け本体より内側化粧板を外し、かつ蓋体を開いたときの内方より見た斜視図である。
【図４】肘掛け本体より内側化粧板を外し、かつ蓋体を閉じたときの内方より見た側面図である。
【図５】図１のV−V線に沿う拡大縦断正面図である。
【図６】図４のVI−VI線に沿う拡大縦断正面図である。
【図７】肘掛け本体より外側化粧板を外したときの外方より見た斜視図である。
【図８】肘掛け本体より外側化粧板を外したときの外方より見た側面図である。
【図９】テーブルと支持腕との分解斜視図である。
【図１０】図２のX−X線に沿う拡大縦断側面図である。
【図１１】図１０のXI−XI線に沿う縦断正面図である。
【符号の説明】
【００４１】
１  座
２  背もたれ
３  テーブル収納式肘掛け装置(肘掛け)
４  肘掛け本体
４ａ切欠き
５  蓋体
６  ヒンジ機構
７  テーブル
８、９、１０  開口
１１  フレーム
１２  止めねじ
１３  内側化粧板
１３ａ凹部
１４  植え込みボルト
１５  ナット
１６  外側化粧板
１７、１８  弾性部材
１９  ストッパ支持板
２０、２１  ブラケット
２２  ストッパ
２３  切欠き
２４  指掛け部
２５  凹入部
２６  足片
２７  軸
２８  溝
２９  押え金具
２９ａ垂直片
２９ｂ水平片
２９ｃ下向片
３０  止めねじ
３１  軸
３２  支持腕
３２ａ基部
３２ｂ腕部
３２ｃ突片
３３  軸
３４、３５  調節ボルト
３６  凹部
３７  押しボタン
３８  ボーデンケーブル
Ｃ  円
Ｏ  回転中心
Ｒ  半径
【図１】
0005133014.tif 000002
【図２】
0005133014.tif 000003
【図３】
0005133014.tif 000004
【図４】
0005133014.tif 000005
【図５】
0005133014.tif 000006
【図６】
0005133014.tif 000007
【図７】
0005133014.tif 000008
【図８】
0005133014.tif 000009
【図９】
0005133014.tif 000010
【図１０】
0005133014.tif 000011
【図１１】
0005133014.tif 000012